(57)【要約】【課題】工具を用いることなく光源装置を交換できるプロジェクタを提供する。【解決手段】プロジェクタは、光束を射出する光源を備えた光源装置２１と、光源装置２１を収納し、光源装置２１が着脱される開口部４３Ａ、および光源装置２１が位置固定されるための穴部４３６を有する下側筐体４３と、光源装置２１が下側筐体４３に着脱される着脱方向に対して、略直交する面に沿って回動可能に光源装置２１に取付けられ、回動によって穴部４３６に係合する係合状態と，係合が解除される解除状態とが切り換えられる係合部５１とを備えている。【選択図】図４
2010085557.tif 000002
【特許請求の範囲】
【請求項１】
光束を射出する光源を備えた光源装置と、
前記光源装置を収納し、前記光源装置が着脱される開口部、および前記光源装置が位置
固定されるための固定部を有する光学部品用筐体と、
前記光源装置が前記光学部品用筐体に着脱される着脱方向に対して、略直交する面に沿
って回動可能に前記光源装置に取付けられ、前記回動によって前記固定部に係合する係合
状態と、係合が解除される解除状態とが切り換えられる係合部と、
を備えていることを特徴とするプロジェクタ。
【請求項２】
請求項１に記載のプロジェクタであって、
前記開口部を形成する側壁には、縁部から前記固定部に連通する案内溝が形成され、
前記係合部は、前記案内溝に沿って摺動されることを特徴とするプロジェクタ。
【請求項３】
請求項２に記載のプロジェクタであって、
前記案内溝は、前記側壁の縁部から延出する導入溝、および前記導入溝に連通し、前記
開口部の底面側に向かって傾斜する連通溝を有していることを特徴とするプロジェクタ。
【請求項４】
請求項２または請求項３に記載のプロジェクタであって、
前記係合部を前記開口部の入口側に向かって付勢する付勢部をさらに備え、
前記案内溝は、前記開口部の入口側の面において、終端部が前記固定部より凸となる段
差部を有して前記固定部に連通していることを特徴とするプロジェクタ。
【請求項５】
請求項１〜請求項３のいずれか一項に記載のプロジェクタであって、
前記係合状態を保持する保持部を備えていることを特徴とするプロジェクタ。
【請求項６】
請求項５に記載のプロジェクタであって、
当該プロジェクタの外装筐体の一部を構成し、前記開口部に対向して配置される蓋部材
をさらに備え、
前記係合部は、前記光源装置が前記光学部品用筐体に位置固定された際に前記開口部の
入口側に位置するように、前記光源装置に取り付けられ、
前記保持部は、前記蓋部材に設けられていることを特徴とするプロジェクタ。
【請求項７】
請求項１〜請求項６のいずれか一項に記載のプロジェクタであって、
前記係合部を回動させるための操作部をさらに備え、
前記操作部は、前記光源装置に対して突出する量が変更可能に前記係合部に取り付けら
れていることを特徴とするプロジェクタ。
【発明の詳細な説明】
【技術分野】
【０００１】
本発明は、画像光を投写するプロジェクタに関する。
【背景技術】
【０００２】
従来、光源から射出された光束を画像情報に応じて変調して画像光を形成し、その画像
光をスクリーン等に投写するプロジェクタが知られている。光源は、超高圧水銀灯等から
構成され、光源用筐体に収納されて光源装置として、プロジェクタ本体に収納される。そ
して、光源装置は、光源が劣化や寿命により性能が低下した際に交換できるように構成さ
れている。具体的に、光源装置は、多くの場合、プロジェクタ本体内にネジ止めによって
位置固定されている。そして、光源装置は、交換される際には、このネジが緩められて取
り外され、新たな光源装置がプロジェクタ本体内に挿入されてネジ固定される。
そして、このネジを緩めたり、締めたりする工具をプロジェクタ内部に収納する技術が
提案されている（特許文献１参照）。
【０００３】
特許文献１に記載の技術は、ランプハウス、光源用筐体（ランプボックス）、ランプボ
ックス固定用ネジ、および工具（ネジ操作部材）を備える。ランプハウスは、プロジェク
タ本体に設けられ、光源用筐体、つまり光源装置を挿着するための空間と、光源装置をネ
ジ止めするためのネジ止め部とを有している。光源用筐体は、光源（ランプ）を収納し、
工具を着脱自在に保持している。そして、光源装置が交換される際には、光源用筐体に保
持されている工具によって、ランプボックス固定用ネジが緩められて光源装置が取り外さ
れ、新たな光源装置がランプハウスに挿入されてネジ止めされる。
【０００４】
【特許文献１】特開２００５−３０１０９０号公報
【発明の開示】
【発明が解決しようとする課題】
【０００５】
しかしながら、特許文献１に記載の技術は、工具を別途用意する必要がないとはいうも
のの、工具を用いてランプボックス固定用ネジを緩めたり締めたりすることによって光源
装置を交換するため、交換操作が煩雑になるという課題がある。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクタは、光束を射出する光源を備えた光源装置と
、前記光源装置を収納し、前記光源装置が着脱される開口部、および前記光源装置が位置
固定されるための固定部を有する光学部品用筐体と、前記光源装置が前記光学部品用筐体
に着脱される着脱方向に対して、略直交する面に沿って回動可能に前記光源装置に取付け
られ、前記回動によって前記固定部に係合する係合状態と、係合が解除される解除状態と
が切り換えられる係合部と、を備えていることを特徴とする。
【０００８】
この構成によれば、光源装置に取り付けられている係合部は、光源装置に対して回動さ
れることで、固定部に係合する状態と、係合が解除される状態とが切り換えられる。これ
によって、光源装置は、工具を用いることなく、光学部品用筐体に位置固定されたり、解
除されたりすることができるので、ユーザーは、光源装置を容易に交換することが可能と
なり、利便性の向上が図れる。
【０００９】
［適用例２］上記適用例に係るプロジェクタにおいて、前記開口部を形成する側壁には
、縁部から前記固定部に連通する案内溝が形成され、前記係合部は、前記案内溝に沿って
摺動されることが好ましい。
【００１０】
この構成によれば、側壁の縁部から固定部に連通する案内溝が形成されているので、係
合部が回動される際にがたつき等が抑制され、滑らかに係合状態と解除状態とが切り換え
られる。
【００１１】
［適用例３］上記適用例に係るプロジェクタにおいて、前記案内溝は、前記側壁の縁部
から延出する導入溝、および前記導入溝に連通し、前記開口部の底面側に向かって傾斜す
る連通溝を有していることが好ましい。
【００１２】
この構成によれば、案内溝は、導入溝および開口部の底面側に向かって傾斜する連通溝
を有して固定部に連通している。これによって、係合部が導入溝から固定部に向かう方向
に回動され、連通溝を摺動すると、光源装置は、係合部と共に開口部の底面側に徐々に移
動されて光学部品用筐体に挿入されていく。
一方、係合部が固定部から導入溝に向かう方向に回動され、連通溝を摺動すると、光源
装置は、係合部と共に開口部の入口側に徐々に移動されて光学部品用筐体から抜出されて
いく。
このように係合部が回動されることによって光源装置が挿抜されるので、着脱方向に力
を加えて光源装置を挿抜する構成に比べて、ユーザーが光源装置を着脱するための操作力
を低減することが可能となる。例えば、光源装置に備えられ、光源に電力が供給されるた
めの入力コネクタと、プロジェクタ本体に備えられ、電力を光源に出力するために出力コ
ネクタとの挿抜力を下回った操作力で光源装置の着脱が可能となる。したがって、ユーザ
ーは、さらに操作性良く光源装置を交換することができる。
【００１３】
［適用例４］上記適用例に係るプロジェクタにおいて、前記係合部を前記開口部の入口
側に向かって付勢する付勢部をさらに備え、前記案内溝は、前記開口部の入口側の面にお
いて、終端部が前記固定部より凸となる段差部を有して前記固定部に連通していることが
好ましい。
【００１４】
この構成によれば、付勢部材が係合部を開口部の入口側に付勢するので、係合部は、案
内溝のうち、開口部の入口側の面に当接して摺動され、係合部に係合する。案内溝は、開
口部の入口側の終端部が固定部より凸となる段差部を有しているので、係合部は、固定部
に係合した際に、この段差部によって、固定部から案内溝に移動することが抑制される。
これによって、係合部は、係合状態が強化されるので、プロジェクタに衝撃等が加わった
際にも、光源装置は、安定して光学部品用筐体に位置固定されることが可能となる。
【００１５】
［適用例５］上記適用例に係るプロジェクタにおいて、前記係合状態を保持する保持部
を備えていることが好ましい。
【００１６】
この構成によれば、保持部は、係合状態を保持するので、係合部と固定部との係合が強
化される。これによって、プロジェクタに衝撃等が加わった際にも、光源装置は、安定し
て光学部品用筐体に位置固定されることが可能となる。
【００１７】
［適用例６］上記適用例に係るプロジェクタにおいて、当該プロジェクタの外装筐体の
一部を構成し、前記開口部に対向して配置される蓋部材をさらに備え、前記係合部は、前
記光源装置が前記光学部品用筐体に位置固定された際に前記開口部の入口側に位置するよ
うに、前記光源装置に取り付けられ、前記保持部は、前記蓋部材に設けられていることが
好ましい。
【００１８】
この構成によれば、係合部は、光源装置に対して開口部の入口側に取り付けられ、保持
部は、開口部に対向して配置される蓋部材に設けられている。これによって、簡単な構成
で保持部を形成することが可能となる。例えば、蓋部材に保持部としての突起部を設け、
蓋部材が配置された際にその突起部が係合部を押止したり、係止したりすることによって
、係合部を保持する等が考えられる。
【００１９】
［適用例７］上記適用例に係るプロジェクタにおいて、前記係合部を回動させるための
操作部をさらに備え、前記操作部は、前記光源装置に対して突出する量が変更可能に前記
係合部に取り付けられていることが好ましい。
【００２０】
この構成によれば、操作部は、突出する量が変更可能に係合部に取り付けられているの
で、突出量を大きくした際にユーザーが係合部を回動させ易く、突出量を小さくした際に
効率的な収納スペースとなるように構成することが可能となる。したがって、光源装置着
脱の操作性向上およびプロジェクタの小型化が図れる。
【発明を実施するための最良の形態】
【００２１】
以下、本実施形態に係るプロジェクタについて、図面を参照して説明する。
本実施形態のプロジェクタは、光源から射出された光束を画像情報に応じて変調して画
像光を形成し、その画像光をスクリーン等に拡大投写する。
図１は、本実施形態のプロジェクタの外観を示す図であり、前方上側から見た斜視図で
ある。
図１に示すように、プロジェクタ１００は、本体が外装筐体１で囲まれた構成になって
いる。そして、外装筐体１内には、光学ユニット２（図２参照）、図示しない制御部、電
源装置、プロジェクタ１００内部を冷却する冷却ファン等を備えている。
【００２２】
外装筐体１は、合成樹脂製であり、上部を構成するアッパーケース１１、および下部を
構成するロアーケース１２等を備えており、これらは、互いにネジ等により固定されてい
る。
【００２３】
アッパーケース１１の前面１１Ａには、略円形状の開口部１１１が形成されており、こ
の開口部１１１の内側には、投写光学装置としての投写レンズ２８が配置されている。そ
して、投写レンズ２８から射出された画像光は、この開口部１１１を通過して前方に投写
される。
アッパーケース１１の上面１１Ｂ前方には、入力操作部１３が設けられている。入力操
作部１３は、プロジェクタ１００の各種設定を行うためのメニュー画像の表示／非表示を
切り換えるメニューキー、入力ソースを切り換えるソース切換えキー等、各種指示を行う
ための複数のキー等を備えている。また、アッパーケース１１の上面１１Ｂの後方には、
後述する光源装置２１（図３参照）の交換用の開口部１１２が形成されている。この開口
部１１２は、外装筐体１の一部を構成する蓋部材１４がアッパーケース１１に装着される
ことによって閉塞される。
アッパーケース１１の側面１１Ｃの後方には、矩形状の孔１１３が複数設けられており
、この孔１１３は、光源の点灯に伴って温まった外装筐体１内の空気が排出される排気口
である。
【００２４】
制御部は、ＣＰＵ（Central Processing Unit）やＲＯＭ（Read Only Memory）、ＲＡ
Ｍ（Random Access Memory）等を備え、コンピュータとして機能するものであり、プロジ
ェクタ１００の動作の制御、例えば、画像の投写に関わる制御等を行う。
【００２５】
電源装置は、電源ブロックと光源駆動ブロックとを備え、制御部および光源等の電子部
品に電力を供給する。電源装置は、光源に電力を供給するための図示しない出力コネクタ
を備えている。
【００２６】
光学ユニット２は、制御部による制御の下、光源から射出された光束を光学的に処理し
、画像情報に応じた画像光を形成して投写する。
図２は、光学ユニット２を模式的に示す図である。
図２に示すように、光学ユニット２は、光源装置２１、照明光学装置２２、色分離光学
装置２３、電気光学装置２７、投写光学装置としての投写レンズ２８、光学部品用筐体４
、および係合ユニット５（図３参照）等を備える。
【００２７】
光源装置２１は、光源２１１、リフレクタ２１２、入力コネクタ２１３（図３参照）、
および光源用筐体３等を備え、光学部品用筐体４に対して着脱可能に構成されている。
光源２１１は、超高圧水銀ランプで構成され、光束を射出する。リフレクタ２１２は、
放物面鏡を有しており、光源２１１から射出された放射状の光束を反射して略平行の光束
として第１レンズアレイ２２１へと射出する。なお、光源２１１としては、超高圧水銀ラ
ンプに限らず、例えばメタルハライドランプ等を採用してもよい。また、リフレクタ２１
２としては、放物面鏡に限らず、楕円面鏡からなるリフレクタ２１２の射出面に平行化凹
レンズを配置した構成を採用してもよい。
入力コネクタ２１３は、光源装置２１が光学部品用筐体４に挿着された際に、電源装置
の出力コネクタに接続される。光源２１１は、この入力コネクタ２１３を介して電源装置
から電力が供給される。光源用筐体３は、光源２１１、リフレクタ２１２および入力コネ
クタ２１３等を収納する。なお、光源用筐体３については、後で詳細に説明する。
【００２８】
照明光学装置２２は、第１レンズアレイ２２１、第２レンズアレイ２２２、および偏光
変換素子２２３を備える。第１レンズアレイ２２１および第２レンズアレイ２２２は、偏
光変換素子２２３の射出側に配置される重畳レンズ２２０とともに、光源装置２１から射
出された光束を後述する反射型液晶パネル２７２Ｒ，２７２Ｇ，２７２Ｂの画像形成領域
を略均一に照明するように光学的に処理する。偏光変換素子２２３は、ランダム偏光の光
束を一方向の偏光光に揃える機能を有している。
【００２９】
色分離光学装置２３は、Ｂダイクロイックミラー２３１、ＲＧダイクロイックミラー２
３２、Ｇダイクロイックミラー２３３、および反射ミラー２３４，２３５を備え、照明光
学装置２２から射出された光束を赤色光、緑色光、青色光の３色の色光に分離する機能を
有する。
【００３０】
電気光学装置２７は、偏光選択素子２７１Ｒ，２７１Ｇ，２７１Ｂ、光変調装置として
の反射型液晶パネル２７２Ｒ，２７２Ｇ，２７２Ｂ、および光合成部としてのクロスダイ
クロイックプリズム２７３を備え、色分離光学装置２３から射出された各色光を画像情報
に応じて変調して画像光を形成する。
【００３１】
投写レンズ２８は、複数のレンズを組み合わせた組レンズとして構成され、電気光学装
置２７にて形成された画像光をスクリーン上に拡大投写する。
【００３２】
光学部品用筐体４は、第１筐体４１、第２筐体４２および取付部材４５（図３参照）を
有して構成されている。
第１筐体４１は、重畳レンズ２２０、および色分離光学装置２３等を所定位置に収納配
置する。第２筐体４２は、光源装置２１および照明光学装置２２等を所定位置に収納配置
する。取付部材４５は、第１筐体４１および第２筐体４２を保持する。
【００３３】
係合ユニット５は、光源装置２１に取り付けられ、光源装置２１に対して回動できるよ
うに構成された係合部５１（図３参照）等を備えている。そして、光源装置２１は、係合
部５１が一方向に回動されることによって、第２筐体４２に挿入され、所定の位置まで回
動されることによって、第２筐体４２に位置固定される。そして、光源装置２１は、係合
部５１が他方向に回動されることによって、位置固定の解除が行われ、第２筐体４２から
抜出される。なお、係合ユニット５については、後で詳細に説明する。
【００３４】
図３は、光学ユニット２の斜視図である。具体的に、図３は、電気光学装置２７および
投写レンズ２８を除く光学ユニット２を後方上側から見た図であり、光源装置２１を第２
筐体４２から分離した図である。また、図３の係合ユニット５は、光源装置２１が第２筐
体４２に挿入される際の状態（挿入状態）を示している。なお、以下では、説明の便宜上
、光源装置２１から光束が射出される方向を「右」（＋Ｘ方向）、画像光が投写される方
向を「前」（＋Ｙ方向）、Ｘ方向およびＹ方向に直交し、図３の図面視における上を「上
」（＋Ｚ方向）として記載する。
【００３５】
図３に示すように、第１筐体４１は、光学ユニット２の右側（＋Ｘ方向）端部に配置さ
れる。第１筐体４１は、合成樹脂製で箱状に形成され、右側（＋Ｘ方向）に開口部を有し
、左側（−Ｘ方向）を構成する容器状の左側筐体４１１、およびその開口部を閉塞する蓋
状の右側筐体４１２を有している。第１筐体４１には、色分離光学装置２３によって分離
された各色光の光軸を含む仮想平面がＹ−Ｚ平面に沿うように、各光学部品が配置される
。そして、色分離光学装置２３で分離された各色光は、第１筐体４１の前方（＋Ｙ方向）
から射出される。図３において図示しない電気光学装置２７および投写レンズ２８は、第
１筐体４１の前方（＋Ｙ方向）に配置される。そして、投写レンズ２８は、色分離光学装
置２３から射出され、電気光学装置２７にて形成された画像光を前方（＋Ｙ方向）に投写
する。
【００３６】
第２筐体４２は、図３に示すように、光学ユニット２の左側（−Ｘ方向）端部に配置さ
れ、上方に開口部を有する容器状の下側筐体４３、およびその開口部の右側（＋Ｘ方向）
を閉塞する上側筐体４４を有している。
下側筐体４３は、ＢＭＣ（Bulk Molding Compound）等の高耐熱材料で形成され、ロア
ーケース１２の底面に沿って配置される底部４３１と、底部４３１の端縁から起立する側
壁４３２とを有している。そして、下側筐体４３の右側の側壁４３２内面には、照明光学
装置２２の各光学部品を位置決めするための複数の溝が形成されており、各光学部品は、
側端部がこの溝に挿入されて下側筐体４３に組み込まれる。
また、下側筐体４３の左側（−Ｘ方向）後方（−Ｙ方向）には、電源装置の出力コネク
タが図示しないケーブルを介して配置される。出力コネクタは、光源装置２１が挿着され
た際に入力コネクタ２１３に接続されるように下側筐体４３に位置固定されている。
【００３７】
上側筐体４４は、高耐熱材料で形成されており、ネジによって下側筐体４３に取付けら
れ、照明光学装置２２の各光学部品の上方を覆っている。
光源装置２１は、下側筐体４３の左側に収納され、上側筐体４４によって閉塞されない
左側の開口部４３Ａから上下方向（±Ｚ方向）に着脱される。なお、前述した蓋部材１４
は、この開口部４３Ａに対向して配置されている。
【００３８】
開口部４３Ａを形成する側壁４３２について、図３、図４を用いて説明する。
図４は、光源装置２１および下側筐体４３を示す斜視図である。具体的に、図４は、光
源装置２１が開口部４３Ａに載置された状態で、係合ユニット５が挿入状態となっている
図である。
図３、図４に示すように、側壁４３２のうち、Ｘ−Ｚ平面に沿って互いに対向する２つ
の側壁４３２１は、上端部の略中央部に、前方（＋Ｙ方向）、後方（−Ｙ方向）にそれぞ
れ突出する突起部４３３を有している。突起部４３３は、左右方向（±Ｘ方向）に長く形
成されており、上面視において回転対称になっている。
【００３９】
２つの側壁４３２１には、突起部４３３と同様に、上面視において回転対称に形成され
た貫通穴（穴部４３６）および案内溝４３８が形成されている。
穴部４３６は、図４に示すように、突起部４３３の下方縁部に形成されている。穴部４
３６は、光源装置２１が位置固定されるための固定部に相当する。
【００４０】
案内溝４３８は、図４に示すように、導入溝４３４および連通溝４３５を有し、突起部
４３３の内面側の縁部から穴部４３６に連通して形成されている。係合部５１は、この案
内溝４３８に沿って摺動される。
導入溝４３４は、突起部４３３の内面に凹状の溝として形成され、側壁４３２１の縁部
から下方（−Ｚ方向）に向かって延出している。
【００４１】
連通溝４３５は、導入溝４３４に連通し、側壁４３２１に沿って切り欠かれた貫通する
溝として形成されている。係合部５１は、後述する圧縮コイルバネ５７（図５参照）によ
って開口部４３Ａの入口側に付勢される。そして、係合部５１は、この連通溝４３５の対
向する面のうち、開口部４３Ａの入口側の面（当接面４３５Ａ）に当接して摺動される。
当接面４３５Ａは、下方に向かって傾斜している。具体的に、当接面４３５Ａは、上面
視において時計回転方向に進むほど開口部４３Ａの底面側、つまり下側筐体４３の底部４
３１に向かって傾斜している。また、連通溝４３５は、当接面４３５Ａの終端部が穴部４
３６より凸となる段差部４３７を有して穴部４３６に連通している。
【００４２】
図３に戻って、取付部材４５は、板金で形成され、略直角となる断面視Ｌ字状に屈曲加
工されており、一方の片を構成する垂直部と、他方の片を構成する水平部とを有している
。取付部材４５は、その垂直部の両側に第１筐体４１および第２筐体４２が取り付けられ
ている。具体的に、第１筐体４１は、左側筐体４１１の左側端面が取付部材４５の右側の
面に当接してネジ等で取り付けられている。第２筐体４２は、下側筐体４３の右側端面が
取付部材４５の左側の面に当接してネジ等で取り付けられている。
【００４３】
ここで、光源用筐体３について詳細に説明する。
図５は、光源装置２１および係合ユニット５の斜視図であり、係合ユニット５は、挿入
状態になっている図である。
図５に示すように、光源用筐体３は、筐体本体３１および支持部材３２を備えている。
筐体本体３１は、高耐熱材料で略直方体の箱状に形成されており、±Ｘ方向で対向する
側面に開口部が形成されている。光源２１１およびリフレクタ２１２は、＋Ｘ方向の開口
部から光束を射出するように、筐体本体３１に取り付けられている。筐体本体３１の左側
（−Ｘ方向）の後方（−Ｙ方向）には、入力コネクタ２１３が取り付けられている。入力
コネクタ２１３は、ケーブルＣＡを介して光源２１１の電極に接続されている。
【００４４】
支持部材３２は、係合ユニット５を保持する部材である。
図５に示すように、支持部材３２は、板金製で両側が略直角に屈曲されており、中央部
の内面が筐体本体３１の上面と対向するようにネジ等で筐体本体３１に取り付けられてい
る。支持部材３２上面には、係合ユニット５を取り付けるためのネジ穴が設けられている
。なお、筐体本体３１および支持部材３２を同一材料で一体的に形成することも可能であ
る。
【００４５】
次に、係合ユニット５について詳細に説明する。
図６は、係合ユニット５の斜視図であり、図５におけるＡ部の拡大図である。
係合ユニット５は、図５、図６に示すように、係合部５１に加えて、操作部５２、係合
支持部５３、移動枠５４、支持ピン５５、固定枠５６および付勢部としての圧縮コイルバ
ネ５７を備えている。そして、係合ユニット５は、支持部材３２の上方（＋Ｚ方向）、つ
まり、光源装置２１が下側筐体４３に収納された際に開口部４３Ａの入口側に位置するよ
うに（図７参照）、光源装置２１に取り付けられている。
【００４６】
係合部５１は、金属製で軸心Ｃ１を有する円柱状部材から形成されており、側壁４３２
１（図４参照）に橋架可能な長さを有し、その両端は、案内溝４３８に挿通可能で、穴部
４３６に嵌合可能な寸法となっている。なお、係合部５１は、案内溝４３８に挿通され、
穴部４３６に嵌合する部位（嵌合部位）が所定の寸法に形成されていればよく、他の部位
は、嵌合部位と異なる形状であってもよい。また、係合部５１は、光源装置２１の着脱や
、プロジェクタ１００に衝撃が加わった際等に伴う負荷に耐える材料であれば、金属以外
の材料を採用することも可能である。
【００４７】
操作部５２は、係合部５１に取り付けられ、ユーザーが係合部５１を回動させるために
操作する部材である。操作部５２は、合成樹脂製であり、図５、図６に示すように、係合
部５１が挿通される取付部５２１と、ユーザーが把持する把持部５２２とを有している。
【００４８】
取付部５２１は、図６に示すように、直方体状の外形から下方（−Ｚ方向）の略中部と
、下方（−Ｚ方向）の左側（−Ｘ方向）が切り欠かれた形状を有し、前後方向（±Ｙ方向
）に貫通する丸孔５２１Ａが形成されている。そして、取付部５２１は、丸孔５２１Ａの
中心と下方（−Ｚ方向）の左側（−Ｘ方向）の縁部との距離Ｄ１が、丸孔５２１Ａの中心
と係合支持部５３の内面５３Ａとの距離Ｄ３と同等になるように設定されている。また、
取付部５２１は、丸孔５２１Ａの中心と下方（−Ｚ方向）の右側（＋Ｘ方向）の縁部との
距離Ｄ２が、距離Ｄ３より大きくなるように設定されている。
【００４９】
把持部５２２は、図５に示すように、取付部５２１の上方（＋Ｚ方向）に形成されてお
り、平面視（Ｙ−Ｚ平面視）において略長方形の開口部５２２Ａを有して環状に形成され
ている。
操作部５２は、丸孔５２１Ａに係合部５１が挿通され、係合部５１の略中央部に取り付
けられている。
【００５０】
係合支持部５３は、係合部５１を支持する部材であり、係合部５１と共に回動される。
係合支持部５３は、図５、図６に示すように、平面視における長方形状の板金から形成
され、プレス加工によって長手方向の両端が略直角に屈曲された屈曲部５３１と、短手方
向の一方の短部が略直角に屈曲された屈曲部５３２（図３参照）とを有している。屈曲部
５３１は、互いの内面間の距離が取付部５２１の幅寸法より大きく設定されており、この
屈曲部５３１には、貫通孔が形成されている。また、係合支持部５３の略中央部には、上
下方向に貫通する貫通孔（係合支持部中心孔）が形成されている。
【００５１】
係合支持部５３は、図５、図６に示すように、操作部５２の取付部５２１が２つの屈曲
部５３１の間に配置され、貫通孔に係合部５１が挿通されて係合部５１に取り付けられて
いる。係合部５１、操作部５２および係合支持部５３は、係合部５１の軸心Ｃ１がＸ−Ｙ
平面に沿い、係合支持部５３の屈曲部５３２が左方向（−Ｘ方向）、屈曲部５３２と反対
側の端面５３Ｂが右方向（＋Ｘ方向）を向くように取り付けられている。そして、図３に
示すように、挿入状態において、係合部５１、操作部５２および係合支持部５３は、係合
部５１の軸心Ｃ１がＹ−Ｚ平に沿った状態となっている。なお、係合部５１は、Ｅリング
ＥＲにて係合支持部５３に留められている。
【００５２】
移動枠５４は、係合支持部５３の下方に連結され、下方に配置される固定枠５６に対し
て上下方向に移動できるように構成されている。また、移動枠５４は、係合支持部５３の
回動する範囲を規制する機能を有している。
移動枠５４は、合成樹脂製であり、図５、図６に示すように、上部を構成する板状の板
状部５４３と、板状部５４３の前後の両端から下方に起立する側部５４４とを有している
。
板状部５４３の略中央部には、上下方向に貫通する貫通孔（移動枠中心孔）が形成され
ており、右側端部の略中央部には、係合支持部５３の回動する範囲を規制する突起部５４
１が設けられている。具体的に、突起部５４１は、係合支持部５３の端面５３Ｂに対向す
る２つの面５４１Ａ，５４１Ｂを有して突出している。面５４１Ａは、前方側（＋Ｙ方向
）に形成されており、挿入状態における係合支持部５３の端面５３Ｂに対して、前方側が
広くなるように傾斜している。面５４１Ｂは、後方側（−Ｙ方向）に形成されており、挿
入状態における係合支持部５３の端面５３Ｂに対して僅かな隙間を有し、略平行になって
いる。
側部５４４の外面略中央部には、外側に突出する係止突起５４２が形成されている。
【００５３】
支持ピン５５は、係合支持部５３と移動枠５４とを連結する機能を有している。
支持ピン５５は、円柱状の部位、およびその一方の端部から鍔状に突出した鍔部を有し
、他方の端部の面には、ネジ孔が形成されている。支持ピン５５は、係合支持部中心孔お
よび移動枠中心孔に挿通され、ネジＳＣによって固定されて係合支持部５３と移動枠５４
とを連結している。そして、係合支持部５３は、移動枠５４に対して支持ピン５５を中心
にしてＸ−Ｙ平面に沿って回動できるようになっている。
【００５４】
固定枠５６は、移動枠５４が挿入され、移動枠５４の上下方向の移動を案内すると共に
、移動枠５４の回動を規制するように構成されている。
固定枠５６は、合成樹脂製であり、図６に示すように、上方に開口部を有する箱状に形
成されている。この開口部の内面形状は、移動枠５４の外形より僅かに大きく設定され、
移動枠５４が挿入された際にＸ−Ｙ平面に沿う方向に回動しないように形成されている。
固定枠５６の前方および後方の側面下方には、前方および後方に向けてそれぞれ突出す
る突起部５６３が形成されており、この突起部５６３には、上下方向に貫通する貫通孔が
形成されている。また、固定枠５６は、突起部５６３に隣接する側面に上端面５６２を有
する開口部が設けられ、底面略中央部には、円柱状の突出部５６１が形成されている。
固定枠５６は、突起部５６３の貫通孔にネジＳＣが挿通されて支持部材３２に取り付け
られる。
【００５５】
圧縮コイルバネ５７は、固定枠５６の突出部５６１に位置決めされて固定枠５６と移動
枠５４との間に配置される。
移動枠５４は、固定枠５６に挿入され、圧縮コイルバネ５７によって、係合部５１、操
作部５２および係合支持部５３と共に上方に付勢されている。
移動枠５４は、圧縮コイルバネ５７によって上方に付勢されることによって、係止突起
５４２が上端面５６２に係合して固定枠５６に位置固定される。
なお、圧縮コイルバネ５７は、移動枠５４が固定枠５６に位置固定された際のバネ力が
、入力コネクタ２１３と出力コネクタとの挿抜力より大きな荷重となるように設定されて
いる。例えば、本実施形態の入力コネクタ２１３および出力コネクタは、挿抜力が１０〜
２０Ｎのコネクタが採用されており、圧縮コイルバネ５７は、この挿抜力より大きなバネ
力に設定されている。
【００５６】
係合ユニット５の動作について説明する。
先ず、操作部５２の動作について説明する。
操作部５２は、図５に示すように、挿入状態において、把持部５２２が上側になるよう
に起立した状態になっており、光源装置２１に対して突出する量が大きくなっている。そ
して、操作部５２は、回動されることで突出する量が変更可能になっている。
具体的に、操作部５２は、前述したように距離Ｄ１と距離Ｄ３（図６参照）とが同等に
設定されているので、挿入状態において把持部５２２が左側（−Ｘ方向）に倒されるよう
な力が加わると、係合部５１の軸心Ｃ１を中心にして回動され（矢印Ｒ１方向）、起立し
た状態から図示しない略水平の状態（収納状態）となる。この収納状態において、操作部
５２は、光源装置２１に対して突出する量が小さくなっている。
一方、操作部５２は、挿入状態において把持部５２２が右側（＋Ｘ方向）に倒されるよ
うな力が加わっても、距離Ｄ２が距離Ｄ３より大きく設定されているので、回動すること
ができない。
このように、操作部５２は、係合部５１に対して一方向には回動可能に、他方向には回
動されないように構成され、光源装置２１に対して突出する量が変更可能に係合部５１に
取り付けられている。
【００５７】
次に、係合部５１が回動される動作について説明する。
係合部５１は、操作部５２の操作によって、操作部５２および係合支持部５３とともに
回動される。
具体的に、図５に示すように、挿入状態から操作部５２が上面視においてＸ−Ｙ平面に
沿って時計回り（図５における矢印Ｒ２の方向、以下「順方向回り」という）に回動され
ると、係合部５１は、それに連動して時計回りに回動される。前述したように、移動枠５
４は、固定枠５６によって規制されて回動しないので、係合部５１は、係合支持部５３の
端面５３Ｂ（図６参照）が移動枠５４の面５４１Ａに当接する範囲まで回動されることが
できる。
【００５８】
一方、挿入状態から操作部５２が上面視においてＸ−Ｙ平面に沿って反時計回り（以下
「逆方向回り」という）に回動されると、係合部５１は、端面５３Ｂと移動枠５４の面５
４１Ｂとの隙間が僅かなため、反時計回りに僅かに回動した後、端面５３Ｂと面５４１Ｂ
とが当接し、それ以上の回動が規制される。
このように、係合部５１は、Ｘ−Ｙ平面、つまり光源装置２１が下側筐体４３に着脱さ
れる着脱方向（±Ｚ方向）に対して略直交する面に沿って回動可能に光源装置２１に取り
付けられている。
【００５９】
次に、係合部５１の上下方向の動作について説明する。
係合部５１は、前述したように、操作部５２、係合支持部５３および移動枠５４と共に
、圧縮コイルバネ５７によって上方に付勢されている。つまり、係合部５１に圧縮コイル
バネ５７に抗する力が加わると、係合部５１、操作部５２、係合支持部５３および移動枠
５４は、下方に移動する。具体的に、係合部５１、操作部５２、係合支持部５３および移
動枠５４は、移動枠５４の係止突起５４２（図６参照）が固定枠５６の上端面５６２と離
間し、光源装置２１に近接する方向に移動する。一方、圧縮コイルバネ５７に抗する力が
取り除かれると、係合部５１、操作部５２、係合支持部５３および移動枠５４は、圧縮コ
イルバネ５７によって付勢されて係止突起５４２が上端面５６２に係合する位置まで移動
する。
このように、係合部５１、操作部５２、係合支持部５３および移動枠５４は、係合部５
１に加わる力に応じて上下方向に移動する。
【００６０】
ここで、光源装置２１が着脱される動作について説明する。
先ず、光源装置２１が下側筐体４３に挿着される動作について、図４、図７を用いて説
明する。
図７は、光源装置２１および下側筐体４３を示す斜視図である。具体的に、図７は、光
源装置２１が下側筐体４３に位置固定された状態を示す斜視図である。
【００６１】
図４に示すように、光源装置２１は、係合部５１が導入溝４３４に挿通されて開口部４
３Ａに載置される。係合部５１は、光源装置２１および係合ユニット５の自重によって、
導入溝４３４の奥、つまり連通溝４３５の入口まで挿通される。この状態において、入力
コネクタ２１３と出力コネクタとは、互いに嵌合する部位の入口が当接した状態になって
いる。
【００６２】
この状態から、操作部５２が順方向回りに回動されると、係合部５１は、連通溝４３５
に沿って摺動し、係合支持部５３と共に回動されながら徐々に下方に移動する。圧縮コイ
ルバネ５７は、係合支持部５３が下方に移動するに従って圧縮され、光源装置２１を押圧
する。光源装置２１は、圧縮コイルバネ５７に押圧されて徐々に下側筐体４３に挿入され
ていく。入力コネクタ２１３は、光源装置２１が挿入されていく過程で徐々に出力コネク
タに挿入されていく。
さらに操作部５２が順方向回りに回動されると、図７に示すように、係合部５１は、段
差部４３７を乗り越え、穴部４３６に到達して係合する係合状態となる。そして、光源装
置２１は、下側筐体４３に位置固定され、入力コネクタ２１３は、出力コネクタに接続さ
れる。なお、圧縮コイルバネ５７が圧縮され、光源装置２１が挿入されていく際に、前述
したように、移動枠５４の係止突起５４２は、固定枠５６の上端面５６２から離間する。
【００６３】
次に、光源装置２１が下側筐体４３から抜出される動作について説明する。
係合部５１は、係合状態から操作部５２が逆方向回りに回動されると、段差部４３７を
乗り越え、穴部４３６との係合が解除される。そして、係合部５１は、連通溝４３５に沿
って摺動し、係合支持部５３と共に回動されながら徐々に上方に移動する。そして、移動
枠５４の係止突起５４２が固定枠５６の上端面５６２と係合するところまで係合部５１が
移動すると、光源装置２１は、固定枠５６を介して移動枠５４に引き上げられ、抜出され
ていく。入力コネクタ２１３は、光源装置２１が抜出されていく過程で徐々に出力コネク
タから抜出されていく。
このように、光源装置２１は、係合部５１が案内溝４３８に沿って摺動され、回動方向
が変更されることによって、挿抜され、また、係合状態と解除状態とが切り換えられる。
【００６４】
以上説明したように、本実施形態のプロジェクタ１００によれば、以下の効果を得るこ
とができる。
（１）光源装置２１は、工具を用いることなく、下側筐体４３に対する位置固定、およ
び位置固定の解除がされるので、ユーザーは、容易に光源装置２１を交換することが可能
となり利便性の向上が図れる。
【００６５】
（２）光源装置２１を固定するためのネジを用いていないので、ネジ固定するためのス
ペースが不要となり、スペース効率の向上が図れる。
【００６６】
（３）側壁４３２１の縁部から穴部４３６に連通する案内溝４３８が形成されているの
で、係合部５１が回動される際にがたつき等が抑制され、滑らかに係合状態と解除状態と
が切り換えられる。また、係合部５１は、回動される方向が順方向回りと逆方向回りとに
変更されることで、係合状態と解除状態とが切り換えられるので、ユーザーは、例えば蛇
口を開閉する操作等、日常生活で行われる操作に即した操作で係合部５１を回動させるこ
とが可能となり、操作性の向上が図れる。
【００６７】
（４）係合部５１が回動されることによって光源装置２１が挿抜されるので、着脱方向
に力を加えて光源装置２１を挿抜する構成に比べて、ユーザーが光源装置２１を着脱する
ための操作力を低減することができ、操作性の向上が図れる。
【００６８】
（５）入力コネクタ２１３は、係合部５１が案内溝４３８に案内されて、出力コネクタ
に滑らかに嵌合するので、入力コネクタ２１３および出力コネクタには、ストレスが加わ
ることが抑制され、両コネクタの接続信頼性の向上が図れる。
【００６９】
（６）係合部５１は、圧縮コイルバネ５７によって上方に付勢され、案内溝４３８は、
段差部４３７を有しているので、係合部５１は、穴部４３６に係合した際に、段差部４３
７によって、穴部４３６から連通溝４３５に移動することが抑制される。これによって、
係合部５１は、係合状態が強化されるので、プロジェクタ１００に衝撃等が加わった際に
も、光源装置２１は、安定して下側筐体４３に位置固定されることが可能となる。
【００７０】
（７）操作部５２は、挿入状態および収納状態を有し、光源装置２１に対して突出する
量が変更可能になっているので、挿入状態にすることでユーザーが把持し易く、係合部５
１を容易に回動することが可能となり、収納状態することで収納スペースの効率化が可能
となる。したがって、光源装置２１着脱の操作性向上およびプロジェクタ１００の小型化
が図れる。
【００７１】
（８）移動枠５４に突起部５４１が設けられているので、光源装置２１が下側筐体４３
から抜出された状態において、係合部５１、操作部５２および係合支持部５３は、必要以
上に遊動しない。これによって、光源装置２１の取り扱い性の向上が図れる。
【００７２】
（変形例）
なお、前記実施形態は、以下のように変更してもよい。
前記実施形態の連通溝４３５は、開口部４３Ａの底面側に向かって傾斜するように形成
されているが、Ｘ−Ｙ平面に沿うように形成し、光源装置２１の挿抜は、ユーザーが着脱
方向に力を加えることによって行い、係合状態と解除状態との切り換えは、係合部５１の
回動によって行われるように構成してもよい。
【００７３】
前記実施形態は、圧縮コイルバネ５７、段差部４３７等を用いて係合状態が強化される
ように構成されているが、係合状態を保持する保持部を備えるように構成してもよい。例
えば、操作部５２が略水平となる収納状態において、操作部５２の把持部５２２と係合支
持部５３とが係合するように両部材に保持部としてのフック構造を設ける等が考えられる
。
また、蓋部材１４に保持部を設けてもよい。例えば、蓋部材１４の内面に保持部として
の突起部を設け、蓋部材１４がアッパーケース１１に装着された際に、収納状態における
操作部５２の把持部５２２を押止したり、係止したりすることによって、係合状態を保持
することも可能である。
【００７４】
前記実施形態の操作部５２は、係合部５１に対して回動されることによって突出する量
が変更されているが、操作部５２をスライド可能な可動部を有して構成し、その可動部が
スライドされることによって、突出する量が変更されるように構成してもよい。
【００７５】
前記実施形態の光学部品用筐体４は、第１筐体４１および第２筐体４２に分離されて構
成されているが、例えば両者を結合し、上部と下部とで構成してもよい。また、電気光学
装置２７および投写レンズ２８をこの光学部品用筐体４に取り付けるように構成してもよ
い。
【００７６】
前記実施形態のプロジェクタ１００は、光変調装置として反射型液晶パネル２７２Ｒ，
２７２Ｇ，２７２Ｂを用いているが、透過型の液晶パネルを利用したものであってもよい
。また、光変調装置は、マイクロミラーアレイを用いたデバイス等を使用したものであっ
てもよい。
【００７７】
前記実施形態のプロジェクタ１００は、フロントタイプのプロジェクタ１００として適
用しているが、投写対象面としてのスクリーンを一体で有するリアタイプのプロジェクタ
にも適用できる。
【図面の簡単な説明】
【００７８】
【図１】本実施形態のプロジェクタを前方上側から見た斜視図。
【図２】光学ユニットを模式的に示す図。
【図３】光学ユニットの斜視図。
【図４】光源装置および下側筐体を示す斜視図。
【図５】光源装置および係合ユニットの斜視図。
【図６】係合ユニットの斜視図であり、図５におけるＡ部の拡大図。
【図７】光源装置および下側筐体を示す斜視図。
【符号の説明】
【００７９】
１…外装筐体、４…光学部品用筐体、５…係合ユニット、１４…蓋部材、２１…光源装
置、２２…照明光学装置、２３…色分離光学装置、２７…電気光学装置、２８…投写レン
ズ、３１…筐体本体、３２…支持部材、４１…第１筐体、４２…第２筐体、４３…下側筐
体、４３Ａ…開口部、４４…上側筐体、５１…係合部、５２…操作部、５３…係合支持部
、５４…移動枠、５５…支持ピン、５６…固定枠、５７…圧縮コイルバネ、１００…プロ
ジェクタ、２１１…光源、２７２Ｒ，２７２Ｇ，２７２Ｂ…反射型液晶パネル、４３１…
底部、４３２…側壁、４３４…導入溝、４３５…連通溝、４３５Ａ…当接面、４３６…穴
部、４３７…段差部、４３８…案内溝、５４１…突起部、５４１Ａ，５４１Ｂ…面、４３
２１…側壁。
【図１】
2010085557.tif 000003
【図２】
2010085557.tif 000004
【図３】
2010085557.tif 000005
【図４】
2010085557.tif 000006
【図５】
2010085557.tif 000007
【図６】
2010085557.tif 000008
【図７】
2010085557.tif 000009